(57)【要約】【課題】消費電力を抑えつつ、画像記録後のライブビュー表示を迅速に行う。【解決手段】撮像部１０４の駆動方式（駆動モード）として、ライブ用センサ駆動（第１モード）と静止画用センサ駆動（第２モード）とがある。制御部１０１は、第１モードでの撮像部１０４からの画像信号に基づいて表示用画像処理部１０５が表示用画像を生成しているときに記録指示を受け付けると、撮像部１０４の駆動モードを第２モードに切り替える。そして制御部１０１は、その状態で（第２モードのまま）、表示用画像の生成及び記録用画像の生成を開始させる。また、表示用画像の生成が開始された後、シャッターボタンの半押しが解除されると、撮像部１０４の駆動モードを第１モードに切り替えて表示用画像の生成を開始させる。【選択図】図２
2018148407.tif 000002
【特許請求の範囲】
【請求項１】
撮像部と、
前記撮像部により撮像された画像に基づいて表示用画像を生成する第１生成部と、
前記撮像部により撮像された画像に基づいて記録用画像を生成する第２生成部と、
前記第１生成部により生成された表示用画像を表示する表示部と、
前記撮像部の駆動モードとして第１モードまたは第２モードを選択し、選択した駆動モードで前記撮像部を駆動すると共に、前記第１生成部及び前記第２生成部を制御する制御手段と、を有し、
前記制御手段は、前記第１モードで駆動される前記撮像部により撮像された画像に基づいて前記第１生成部が前記表示用画像を生成しているときに、記録指示を受け付けると、前記駆動モードを前記第２モードに切り替え、その状態で、前記第１生成部による前記表示用画像の生成及び前記第２生成部による前記記録用画像の生成を開始させ、前記第１生成部が前記表示用画像の生成を開始した後、所定条件が成立したことに応じて、前記駆動モードを前記第１モードに切り替えて前記第１生成部による前記表示用画像の生成を開始させることを特徴とする撮像装置。
【請求項２】
シャッターボタンを有し、
前記シャッターボタンが全押しとなることにより前記記録指示が受け付けられ、
前記所定条件は、前記シャッターボタンの半押しが解除されることにより成立することを特徴とする請求項１に記載の撮像装置。
【請求項３】
前記所定条件は、前記記録指示を受け付けたことに応じて前記駆動モードを前記第２モードに切り替えた状態で開始された前記記録用画像の生成が完了したことにより成立することを特徴とする請求項１に記載の撮像装置。
【請求項４】
前記所定条件は、前記記録指示を受け付けたことに応じて前記駆動モードを前記第２モードに切り替えた後、所定時間が経過することにより成立することを特徴とする請求項１に記載の撮像装置。
【請求項５】
前記所定条件は、主被写体が動いていないと前記制御手段が判断すると成立することを特徴とする請求項１に記載の撮像装置。
【請求項６】
前記所定条件は、前記撮像装置が動いていないと前記制御手段が判断すると成立することを特徴とする請求項１に記載の撮像装置。
【請求項７】
前記記録指示を受け付けたことに応じて前記駆動モードを前記第２モードに切り替えた状態で開始された前記記録用画像の生成が静止画の連続撮影用の生成である場合、前記所定条件は、静止画の連続撮影が完了することにより成立することを特徴とする請求項１に記載の撮像装置。
【請求項８】
節電のために前記表示部の電源をオフにする節電モードを有し、
前記所定条件は、前記節電モード時に前記表示部の電源がオフになることにより成立することを特徴とする請求項１に記載の撮像装置。
【請求項９】
前記表示用画像の画素数よりも前記記録用画像の画素数の方が多いことを特徴とする請求項１乃至８のいずれか１項に記載の撮像装置。
【請求項１０】
動作モードとして、通常モードと省電力モードとを有し、
前記通常モード時における前記第１モードによるフレームレートの方が前記省電力モード時における前記第１モードによるフレームレートよりも高く、
前記通常モード時及び前記省電力モード時のいずれにおいても、前記第１モードによるフレームレートと前記第２モードによるフレームレートとは同一であることを特徴とする請求項１乃至９のいずれか１項に記載の撮像装置。
【請求項１１】
前記制御手段は、前記記録指示を受け付けたことに応じて前記駆動モードを前記第２モードに切り替えた場合、前記第１生成部による前記表示用画像の生成及び前記第２生成部による前記記録用画像の生成を並行して行わせることを特徴とする請求項１乃至１０のいずれか１項に記載の撮像装置。
【請求項１２】
撮像部と、
前記撮像部により撮像された画像に基づいて表示用画像を生成する第１生成部と、
前記撮像部により撮像された画像に基づいて記録用画像を生成する第２生成部と、
前記第１生成部により生成された表示用画像を表示する表示部と、を有する撮像装置の制御方法であって、
前記撮像部の駆動モードとして第１モードまたは第２モードを選択し、選択した駆動モードで前記撮像部を駆動すると共に、前記第１生成部及び前記第２生成部を制御する制御ステップを有し、
前記制御ステップは、前記第１モードで駆動される前記撮像部により撮像された画像に基づいて前記第１生成部が前記表示用画像を生成しているときに、記録指示を受け付けると、前記駆動モードを前記第２モードに切り替え、その状態で、前記第１生成部による前記表示用画像の生成及び前記第２生成部による前記記録用画像の生成を開始させ、前記第１生成部が前記表示用画像の生成を開始した後、所定条件が成立したことに応じて、前記駆動モードを前記第１モードに切り替えて前記第１生成部による前記表示用画像の生成を開始させることを特徴とする撮像装置の制御方法。
【請求項１３】
請求項１２に記載の撮像装置の制御方法をコンピュータに実行させることを特徴とするプログラム。
【発明の詳細な説明】
【技術分野】
【０００１】
本発明は、撮像装置における撮像部の駆動制御の技術に関する。
【背景技術】
【０００２】
従来、撮像装置が備える撮像センサを駆動する方式として複数の駆動方式がある。例えば、撮影前にフレーミングを行うため、ＬＣＤ等の表示部にスルー画像を表示する駆動方式（以下、ライブ用センサ駆動）がある。また、ユーザからの撮影指示に応じて静止画を記録する駆動方式（以下、静止画用センサ駆動）がある。ライブ用センサ駆動では、画質よりリアルタイム性と省電力を重視するため、通常、撮像装置は撮像センサの画素数を間引いて読み出すことで、所定の消費電力内で所定のフレームレートの出力を実現している。また、静止画用センサ駆動では画質を優先するため、撮像装置は撮像センサの全画素を読み出す。
【０００３】
上記の撮像装置は、撮影開始時にライブ用センサ駆動から静止画用センサ駆動へ切り替え、撮影終了時に静止画用センサ駆動からライブ用センサ駆動へ切り替えている。ここで、撮影終了時のライブ復帰（ライブビュー表示への復帰）について考える。ライブ復帰するためにはセンサ駆動を静止画用からライブ用へと切り替える必要がある。センサ駆動を切り替える際には、各センサ駆動に対応する画質用設定値を変更する必要がある。そして、センサ駆動の切り替え処理とそれに伴う画質用設定値の変更処理とにはそれぞれ所定の時間を要するため、実際に表示部に表示用画像が表示されるまでには遅延が生じる。そのため、それまでの期間、表示部はブラックアウトされるか所定のフリーズ画像を表示することになる。
【０００４】
撮影終了後は次の撮影がすぐに行えるように、すなわち次の撮影のための画角合わせがすぐに行えるように、速やかにライブ復帰することが求められる。特許文献１は、連写中に画面がブラックアウトまたはフリーズしないように、表示用の画像を作る各フィールドの合間で静止画用の画像信号を読み出している。特許文献２は、動画撮影中における静止画記録時にブラックアウトしないように、静止画のシャッタ速度に合わせて動画のフレームレートを決め、静止画記録時と動画記録時とで撮像センサの駆動切り替えをしないで済むようにしている。
【先行技術文献】
【特許文献】
【０００５】
【特許文献１】特開２０１２−２３４９６号公報
【特許文献２】特開２００８−３０１２８６号公報
【発明の概要】
【発明が解決しようとする課題】
【０００６】
しかしながら、特許文献１は、連写中にライブ表示することは可能だが、連写終了後のライブ復帰遅延を解消できない。また、特許文献２は、動画撮影中における静止画記録時にライブ表示することは可能だが、動画記録でないときの静止画撮影後のライブ復帰の遅延を解消できない。
【０００７】
また、特許文献１、２において、ライブ用センサ駆動に戻さずに常時、記録用画像とライブ用画像の両方を生成するセンサ駆動を維持することで、撮影後のライブ復帰の遅延をなくすことは可能である。しかしそのようにすると、ライブ表示中も常に撮像センサの全画素読み出しを所定のフレームレートで行い続けることになるため、消費電力が大きくなるという問題がある。
【０００８】
本発明は、消費電力を抑えつつ、画像記録後のライブビュー表示を迅速に行うことを目的とする。
【課題を解決するための手段】
【０００９】
上記目的を達成するために本発明は、撮像部と、前記撮像部により撮像された画像に基づいて表示用画像を生成する第１生成部と、前記撮像部により撮像された画像に基づいて記録用画像を生成する第２生成部と、前記第１生成部により生成された表示用画像を表示する表示部と、前記撮像部の駆動モードとして第１モードまたは第２モードを選択し、選択した駆動モードで前記撮像部を駆動すると共に、前記第１生成部及び前記第２生成部を制御する制御手段と、を有し、前記制御手段は、前記第１モードで駆動される前記撮像部により撮像された画像に基づいて前記第１生成部が前記表示用画像を生成しているときに、記録指示を受け付けると、前記駆動モードを前記第２モードに切り替え、その状態で、前記第１生成部による前記表示用画像の生成及び前記第２生成部による前記記録用画像の生成を開始させ、前記第１生成部が前記表示用画像の生成を開始した後、所定条件が成立したことに応じて、前記駆動モードを前記第１モードに切り替えて前記第１生成部による前記表示用画像の生成を開始させることを特徴とする。
【発明の効果】
【００１０】
本発明によれば、消費電力を抑えつつ、画像記録後のライブビュー表示を迅速に行うことができる。
【図面の簡単な説明】
【００１１】
【図１】撮像装置の構成を示すブロック図である。
【図２】ライブ表示及び静止画撮影の処理のフローチャートである。
【図３】ライブ表示及び静止画撮影の処理のフローチャートである。
【発明を実施するための形態】
【００１２】
以下、図面を参照して本発明の実施の形態を説明する。
【００１３】
（第１の実施の形態）
図１は、本発明の第１の実施の形態に係る撮像装置の構成を示すブロック図である。この撮像装置１００は、例えばデジタルカメラまたはビデオカメラとして構成され、撮像した画像のライブビュー表示と記録とが可能である。
【００１４】
システム制御部１０１（制御手段）は、ＣＰＵ（ＭＰＵ）、メモリ（ＤＲＡＭ、ＳＲＡＭ）等を有し、各種処理（プログラム）を実行して撮像装置１００の各ブロックを制御したり、各ブロック間でのデータ転送を制御したりする。操作部１０２は、例えば、電源ボタン、シャッターボタン、ズームレバー等、撮影に関連する各種操作を入力するスイッチ類からなる。また、操作部１０２は、メニュー表示ボタン、決定ボタン、その他カーソルキー、ポインティングデバイス、タッチパネル等を有する。ユーザによりこれらのキーやボタンが操作されると、操作部１０２はシステム制御部１０１（以下、制御部１０１と略記することもある）に操作信号を送信する。制御部１０１は、操作部１０２からの操作信号に応じて、撮像装置１００の各ブロックを制御する。バス１０３は、各種データ、制御信号、指示信号などを撮像装置１００の各ブロックに送るための汎用バスである。
【００１５】
撮像部１０４はＣＣＤセンサやＣＭＯＳセンサ等の撮像素子を有する。撮像部１０４は、レンズにより取り込まれた被写体の光学像を撮像素子により画像信号に変換し、その画像信号をデジタル信号に変換して表示用画像処理部１０５（第１生成部）及び記録用画像処理部１０７（第２生成部）へ送信する。撮像部１０４の駆動方式（駆動モード）は複数ある。例えば、撮影前にフレーミングを行うため、表示部１０６にライブ画像を表示するライブ用センサ駆動がある。また、ユーザからの撮影指示に応じて静止画を記録するための静止画用センサ駆動がある。ライブ用センサ駆動は、表示部１０６への表示用画像を生成するモードであり、これを第１モードと称する。静止画用センサ駆動は、記録用画像を生成するモードであり、これを第２モードと称する。第１モードでは、画質よりリアルタイム性と省電力を重視するため、制御部１０１は、撮像素子の画素数を間引いて読み出すことで、所定の消費電力内で所定のフレームレートの出力を実現する。また、第２モードでは画質を優先するため、制御部１０１は、撮像素子の全画素を読み出す。制御部１０１は、撮像装置１００の状態に応じて、撮像部１０４の駆動モードとして第１モードまたは第２モードを選択し（駆動方式を切り替え）、選択した駆動モードで撮像部１０４を駆動する。
【００１６】
なお、撮像部１０４は、生成した画像信号を、表示用画像処理部１０５と記録用画像処理部１０７の両方に同時に送信することも可能である。ただしその場合、生成される画像信号を表示用としても記録用としても使用できるようにするために、撮像部１０４は、ライブ用のフレームレートで且つ全画素読み出しを行う必要がある。従ってこの場合、消費電力が大きくなるというデメリットがある。
【００１７】
表示用画像処理部１０５は、入力されたデジタル信号に対して、設定値に基づいてホワイトバランスや色、明るさなどを調整する画質調整処理を行う。表示用画像処理部１０５で処理された画像信号は、制御部１０１により表示部１０６へ送信される。表示用画像処理部１０５で使用する設定値には、予めユーザにより設定された撮影に関する設定の他に、撮像部１０４の駆動方式によって決まるものもある。従って、撮像部１０４の駆動方式が変更されると、それに伴って表示用画像処理部１０５で使用する設定値を変更する必要がある。
【００１８】
表示部１０６は、表示用画像処理部１０５から送信された画像信号による映像や、撮像装置１００の操作をするための操作画面（メニュー画面）等を表示する。表示部１０６の構成は問わないが、例えば液晶ディスプレイ、有機ＥＬディスプレイ、電子ペーパー等の表示デバイスである。
【００１９】
記録用画像処理部１０７は、入力されたデジタル信号に対して、設定値に基づいてホワイトバランスや色、明るさなどを調整する画質調整処理を行う。また、記録用画像処理部１０７は、画像信号を符号化して圧縮画像信号を生成する。記録用画像処理部１０７で処理された画像信号は、制御部１０１により記録部１０８へ送信される。
【００２０】
記録部１０８は、記録用画像処理部１０７で生成された圧縮画像信号、及び撮影に関する制御データ等を記録媒体１０９に対して記録する。記録媒体１０９は着脱可能な記録媒体であるが、撮像装置１００に内蔵された記録媒体でも良い。記録媒体１０９は、例えば、ハードディスク、光ディスク、光磁気ディスク、ＣＤ−Ｒ、ＤＶＤ−Ｒ、磁気テープ、不揮発性の半導体メモリ、フラッシュメモリ等のあらゆる方式の記録媒体を含む。センサ部１１０は、ジャイロセンサ等の各種センサを含む。制御部１０１は、ジャイロセンサを用いて、撮像装置１００自体の動きを検出可能である。
【００２１】
撮像装置１００が仮に従来の構成であるとすると、撮像部１０４の駆動方式を切り替える際は、センサ駆動切り替え処理と、それに伴う表示用画像処理部１０５の設定値変更処理にそれぞれ所定の時間を要する。そのため、センサ駆動切り替え後に実際に表示部１０６に表示用画像がライブビュー表示されるまでには遅延が生じる。本実施の形態では、撮像部１０４の駆動モードの切り替えと、表示用画像処理部１０５及び記録用画像処理部１０７の制御とによって、この問題を解消する。
【００２２】
次に、撮像装置１００の特徴的な動作について説明する。撮像装置１００は、消費電力は最低限に抑え、撮影後のライブ復帰の遅延がないという特徴的な動作を実行することができる。
【００２３】
図２は、ライブ表示及び静止画撮影の処理のフローチャートである。このフローチャートの処理は、制御部１０１のＲＯＭ等に格納されたプログラムをＣＰＵがＲＡＭ等に読み出して実行することにより実現される。操作部１０２に含まれる電源ボタンがユーザにより押されると、撮像装置１００の各ブロックに電源が投入されて起動状態となり、図２の処理が開始される。
【００２４】
まず、制御部１０１は、撮像部１０４の駆動方式をライブ用である第１モードに設定する（ステップＳ２０１）。また、それに伴い、制御部１０１は、第１モードに対応して、表示用画像処理部１０５で使用する設定値も設定する。次に、制御部１０１は、所定のフレームレートで表示用画像処理部１０５から送信される画像信号を表示部１０６に随時表示する処理（ライブ表示処理）を開始する（ステップＳ２０２）。これにより、第１モードで駆動される撮像部１０４からの画像信号に基づき表示用画像処理部１０５が表示用画像を生成し、その表示用画像によるライブビュー表示が実行される。ユーザは表示部１０６を見ながら、撮影のためのフレーミングを行えるようになる。
【００２５】
次に、制御部１０１は、操作部１０２に含まれるシャッターボタンの全押し（ＳＷ２のオン）が検出されたか否かを判別する（ステップＳ２０３）。なお、シャッターボタンは、押下されるとスイッチＳＷ１、ＳＷ２が順にオンとなる。制御部１０１は、スイッチＳＷ１がオンにされると撮影準備動作の開始が指示された判断し、スイッチＳＷ２がオンにされると記録開始が指示されたと判断する。ステップＳ２０３の判別の結果、シャッターボタンの全押しが検出されない場合、制御部１０１は、操作部１０２に含まれる電源ボタンが押されたか否かを判別する（ステップＳ２０４）。そして制御部１０１は、電源ボタンが押されていない場合は処理をステップＳ２０３に戻す一方、電源ボタンが押された場合は、撮像装置１００の各ブロックの電源を落として終了状態にして図２の処理を終了する。
【００２６】
ステップＳ２０３の判別の結果、シャッターボタンの全押しが検出された場合は、制御部１０１は、静止画の記録に移行するために、表示部１０６におけるライブ表示処理を停止する（ステップＳ２０５）。そして、制御部１０１は、撮像部１０４の駆動方式を静止画用である第２モードに切り替える（ステップＳ２０６）。また、それに伴い、制御部１０１は、第２モードに対応して、表示用画像処理部１０５で使用する設定値も設定する。次に、制御部１０１は、記録用画像処理部１０７を制御して、静止画生成処理、すなわち、撮像部１０４により得られた画像信号から記録用画像を生成する処理を開始させる（ステップＳ２０７）。これにより、第２モードで駆動された撮像部１０４からの画像信号に基づき、記録用画像処理部１０７が記録用画像を生成する。なお、記録用画像は、生成が完了したものから記録媒体１０９に記録される。
【００２７】
次に、制御部１０１は、操作部１０２に含まれるシャッターボタンの半押し状態が保持されているか（ＳＷ１がオンのままか）否かを判別する（ステップＳ２０８）。本実施の形態では、撮像部１０４の駆動モードを第２モードに切り替えるための「所定条件」の成立として、シャッターボタンの半押し状態が保持されていない（半押しが解除されている）ことを例示する。そして、シャッターボタンの半押し状態が保持されている場合は、制御部１０１は、所定のフレームレートで表示用画像処理部１０５から送信される画像信号を表示部１０６に随時表示する処理（ライブ表示処理）を開始する（ステップＳ２０９）。従って、撮像部１０４の駆動方式が第２モードに切り替わったままの状態で、撮像部１０４からの画像信号に基づき、表示用画像処理部１０５が表示用画像の生成を開始する。これにより、速やかにライブビュー表示が再開（ライブ復帰）される。その際、撮像部１０４の駆動方式の切り替えを経ないので、ライブビュー表示の遅延が回避される。
【００２８】
一方、ステップＳ２０８の判別の結果、シャッターボタンの半押し状態が保持されていない（所定条件が成立する）場合は、制御部１０１は、処理をステップＳ２０１に戻す。これにより、第１モードで駆動される撮像部１０４からの画像信号に基づくライブビュー表示が再開される。
【００２９】
次に、制御部１０１は、操作部１０２に含まれるシャッターボタンの全押し（ＳＷ２のオン）が再び検出されたか否かを判別する（ステップＳ２１０）。シャッターボタンの全押しが検出されない場合は、制御部１０１は、操作部１０２に含まれるシャッターボタンの半押し状態が保持されているか（ＳＷ１がオンのままか）否かを判別する（ステップＳ２１１）。そして、シャッターボタンの半押し状態が保持されている場合は、制御部１０１は、処理をステップＳ２１０に戻す。ステップＳ２１０で、シャッターボタンの全押しが検出された場合は、制御部１０１は、静止画の記録に移行するために、表示部１０６におけるライブ表示処理を停止し（ステップＳ２１３）、処理をステップＳ２０７に戻す。従って、ユーザは、スイッチＳＷ１をオフにしない限り、スイッチＳＷ２をオンにすることで、静止画の生成・記録、及び第２モードでのライブビュー表示の再開を繰り返すことができる。
【００３０】
一方、ステップＳ２１１の判別の結果、シャッターボタンの半押し状態が保持されていない（所定条件が成立する）場合は、制御部１０１は、表示部１０６におけるライブ表示処理を停止し（ステップＳ２１２）、処理をステップＳ２０１に戻す。これにより、撮像部１０４の駆動方式が静止画用センサ駆動からライブ用センサ駆動（第１モード）へ切り替えられ、第１モードで駆動される撮像部１０４からの画像信号に基づくライブビュー表示の状態へ復帰する。
【００３１】
この処理によれば、静止画撮影後にシャッターボタンの半押しが保持されていれば、静止画用センサ駆動（第２モード）のままライブビュー表示及び次の撮影への移行が可能になる。また、ステップＳ２０６の処理によって、表示用画像処理部１０５で使用する設定値は既に静止画用センサ駆動（第２モード）に対応したものとなっている。そのため、静止画撮影後のセンサ駆動切り替え処理と、それに伴う設定値変更処理とが不要となり、ライブ表示再開時の遅延がなくなる。従って、ユーザは、静止画撮影後、すぐに次の撮影を行いたい場合、シャッターボタンの半押しを保持しておけばライブ表示が継続するので、次の撮影のための画角合わせも素早く行えるようになる。
【００３２】
一方、静止画用センサ駆動のままライブ表示をし続けると消費電力が大きくなってしまう。ところが、静止画撮影後にシャッターボタンの半押しが解除されればライブ用センサ駆動に戻るため（Ｓ２０８またはＳ２１２からＳ２０１へ）、消費電力を最低限に抑えることができる。
【００３３】
なお、ステップＳ２０７で開始された記録用画像処理部１０７による記録用画像の生成と、ステップＳ２０９で開始された表示用画像処理部１０５による表示用画像の生成とは、並行してなされる。これにより、処理が迅速となる。
【００３４】
本実施の形態によれば、制御部１０１は、第１モードでの撮像部１０４からの画像信号に基づいて表示用画像処理部１０５が表示用画像を生成しているときに記録指示を受け付けると、撮像部１０４の駆動モードを第２モードに切り替える。そして制御部１０１は、その状態で（第２モードのまま）、表示用画像の生成及び記録用画像の生成を開始させる。これにより、記録用画像の生成開始後のライブビュー表示を迅速に行うことができる。また、制御部１０１は、表示用画像の生成が開始された後、シャッターボタンの半押しが解除されると、撮像部１０４の駆動モードを第１モードに切り替えて表示用画像の生成を開始させる。これにより、第２モードの継続を制限し、消費電力を抑制することができる。よって、消費電力を抑えつつ、画像記録後のライブビュー表示を迅速に行うことができる。
【００３５】
（第２の実施の形態）
本発明の第２の実施の形態を、第１の実施の形態に対して図２に代えて図３を用いて説明する。図３は、ライブ表示及び静止画撮影の処理のフローチャートである。このフローチャートの処理は、制御部１０１のＲＯＭ等に格納されたプログラムをＣＰＵがＲＡＭ等に読み出して実行することにより実現される。この処理の開始条件は図２の処理と同様である。
【００３６】
図３におけるステップＳ２０１〜Ｓ２０６の処理は、図２で説明したのと同様である。ステップＳ３００では、制御部１０１は、所定のフレームレートで表示用画像処理部１０５から送信される画像信号を表示部１０６に随時表示する処理（ライブ表示処理）を開始する。従って、撮像部１０４の駆動方式が第２モードに切り替わったままの状態で、撮像部１０４からの画像信号に基づき、表示用画像処理部１０５が表示用画像の生成を開始する。これにより、速やかにライブビュー表示が再開される。その際、撮像部１０４の駆動方式の切り替えを経ないので、ライブビュー表示の遅延が回避される。
【００３７】
次に、制御部１０１は、記録用画像処理部１０７を制御して、静止画生成処理、すなわち、撮像部１０４により得られた画像信号から記録用画像を生成する処理を開始させる（ステップＳ３０１）。これにより、第２モードで駆動された撮像部１０４からの画像信号に基づき、記録用画像処理部１０７が記録用画像を生成する。なお、記録用画像は、生成が完了したものから記録媒体１０９に記録される。なお、ステップＳ３００とステップＳ３０１の順序を入れ替えてもよい。
【００３８】
次に、制御部１０１は、操作部１０２に含まれるシャッターボタンの全押し（ＳＷ２のオン）が再び検出されたか否かを判別する（ステップＳ３０２）。シャッターボタンの全押しが検出されない場合は、制御部１０１は、ステップＳ３０１で開始された記録用画像の生成処理が完了したか否かを判別する（ステップＳ３０３）。そして、記録用画像の生成処理が完了していない場合は、制御部１０１は、処理をステップＳ３０２に戻す。ステップＳ３０３で、記録用画像の生成処理が完了した場合は、制御部１０１は、表示部１０６におけるライブ表示処理を停止し（ステップＳ３０４）、処理をステップＳ２０１に戻す。これにより、撮像部１０４の駆動方式が静止画用センサ駆動からライブ用センサ駆動（第１モード）へ切り替えられ、第１モードで駆動される撮像部１０４からの画像信号に基づくライブビュー表示の状態へ復帰する。
【００３９】
ステップＳ３０２の判別の結果、シャッターボタンの全押しが検出された場合は、制御部１０１は、静止画の記録に移行するために、表示部１０６におけるライブ表示処理を停止し（ステップＳ３０５）、処理をステップＳ３００に戻す。従って、ユーザは、記録用画像の生成処理が完了するまでの間、スイッチＳＷ２をオンにすることで、静止画の生成・記録、及び第２モードでのライブビュー表示の再開を繰り返すことができる。
【００４０】
この処理によれば、静止画撮影後には必ず静止画用センサ駆動のままでのライブ表示が行われるようになる。また、ステップＳ２０６の処理によって、表示用画像処理部１０５で使用する設定値は既に静止画用センサ駆動（第２モード）に対応したものとなっている。そのため、静止画撮影後のセンサ駆動切り替え処理と、それに伴う設定値変更処理とが不要となり、ライブ表示再開時の遅延がなくなる。また、第１の実施の形態と比べて、より早い段階でライブ表示を開始することが可能である。また、記録用画像生成処理が完了すればライブ用センサ駆動に戻るため（Ｓ３０４からＳ２０１へ）、消費電力を最低限に抑えることができる。
【００４１】
なお、ステップＳ３００で開始された表示用画像処理部１０５による表示用画像の生成と、ステップＳ３０１で開始された記録用画像処理部１０７による記録用画像の生成とは、並行してなされる。これにより、処理が迅速となる。
【００４２】
本実施の形態によれば、消費電力を抑えつつ、画像記録後のライブビュー表示を迅速に行うことに関し、第１の実施の形態と同様の効果を奏することができる。
【００４３】
なお、第１の実施の形態では、記録用画像の生成開始（Ｓ２０７）の直後にステップＳ２０８の判別処理が実行される。そのため、シャッターボタンの半押し解除により撮像部１０４の駆動モードを第１モードに早く戻せる場合があるので、消費電力削減の観点でメリットがある。一方、第２の実施の形態では、ステップＳ２０６の直後にステップＳ３００が実行されることから、より早い段階でライブビュー表示を再開することが可能である。
【００４４】
ところで、第１の実施の形態における図２のステップＳ２０８、Ｓ２１１、第２の実施の形態における図３のステップＳ３０３での判別処理を、以下に説明する各種の「所定条件」が成立するか否かの判別処理に置換する等の変形が可能である。
【００４５】
例えば、図２のステップＳ２０８、Ｓ２１１のいずれかまたは双方を、記録用画像の生成処理が完了したか否かの判別に置き換え、記録用画像の生成処理が完了すると、制御部１０１が「所定条件」が成立したと判断してもよい。また、図３のステップＳ３０３を、シャッターボタンの半押し状態が保持されているか否かの判別に置き換え、半押し状態が解除されると、制御部１０１が「所定条件」が成立したと判断してもよい。
【００４６】
このほか、図２のステップＳ２０８、Ｓ２１１、図３のステップＳ３０３のいずれかまたは全てに適用できる所定条件として、以下のようなものが考えられる。
【００４７】
例えば、記録指示を受け付けたことに応じてステップＳ２０６で撮像部１０４の駆動モードを第２モードに切り替えた後、所定時間が経過することにより所定条件が成立するとしてもよい。これによれば、所定時間が経過するとライブ用センサ駆動に切り替わる。所定時間の経過によりライブ用センサ駆動に戻すことができるため、ライブビュー表示の維持と消費電力削減とのバランスをとることができる。
【００４８】
あるいは、主被写体が動いていないと制御部１０１が判断することにより所定条件が成立するとしてもよい。なお、主被写体の動きは、撮像画像に基づき、主被写体エリアでの主被写体の光学像の動きベクトルを用いる等の公知の手法で制御部１０１が検出する。例えば、制御部１０１は、主被写体の停止状態が閾値時間継続すると、主被写体が動いていないと判断する。これにより、主被写体が動いていない場合にライブ用センサ駆動に切り替わる。従って、主被写体が動いている間は静止画用センサ駆動のまま早くライブ復帰させることができるので、ユーザは被写体を追いながら次の撮影を行いやすくなる。主被写体の停止でライブ用センサ駆動に戻すことができるため、ライブビュー表示の維持と消費電力削減とのバランスをとることができる。
【００４９】
あるいは、撮像装置１００が動いていないと制御部１０１が判断することにより所定条件が成立するとしてもよい。制御部１０１は、センサ部１１０のジャイロセンサの検知結果から、撮像装置１００の動きの有無を判定する。例えば、制御部１０１は、撮像装置１００の停止状態が閾値時間継続すると、撮像装置１００が動いていないと判断する。これによれば、撮像装置１００が動いていない場合にライブ用センサ駆動に切り替わるようになる。撮像装置１００が動いている間は静止画撮影用センサ駆動のまま早くライブ表示に復帰させることができるので、ユーザは被写体を追いながら次の撮影を行いやすくなる。撮像装置１００の停止でライブ用センサ駆動に戻すことができるため、ライブビュー表示の維持と消費電力削減とのバランスをとることができる。
【００５０】
なお、上記第１、第２の実施の形態における静止画の記録は、静止画の連続撮影（連写）の場合にも適用可能である。記録用画像の生成が連続撮影用の生成である場合において、静止画の連続撮影が完了することにより所定条件が成立するとしてもよい。これによれば、連続撮影が終了した場合にライブ用センサ駆動に切り替わるようになる。連続撮影を行っている期間は静止画用センサ駆動のまま早くライブ表示に復帰させることができるので、ユーザは被写体を追いながら次の撮影を行いやすくなる。
【００５１】
なお、撮像装置１００は、節電のために表示部１０６の電源を自動的にオフとする節電モードを有している。例えば、節電モード時には、操作部１０２の操作が一定時間無かった場合に表示部１０６の電源がオフになる。表示部１０６の電源がオフになることにより所定条件が成立するとしてもよい。これによれば、静止画撮影後、静止画用センサ駆動のままライブ表示した状態で、表示部１０６の電源がオフになるとライブ用センサ駆動に切り替わるようになる。従って、次のライブ表示開始時にはライブ用センサ駆動にてライブ表示が行われる。これにより、静止画用センサ駆動からライブ用センサ駆動に切り替えるタイミングでのライブ表示の停止処理が不要となるので、ライブ表示が一時的にフリーズしたりブラックアウトしたりする等の現象を避けることができる。
【００５２】
ところで、上記各実施の形態において、ライブ用センサ駆動でのフレームレートと静止画用センサ駆動でのフレームレートとは同一であることが好ましい。例えば制御部１０１は、ライブ用センサ駆動において３０ｆｐｓのフレームレートでライブ表示していた場合、静止画用センサ駆動においても３０ｆｐｓにてライブ表示することで、フレームレートに差のないライブ表示が可能となる。なお、撮像装置１００は、動作モードとして、通常モードと省電力モードを有する。通常モード時及び省電力モード時のいずれにおいても、ライブ用センサ駆動によるフレームレートと静止画用センサ駆動によるフレームレートとは同一であるのが好ましい。また、ライブ用センサ駆動によるフレームレートは、通常モード時の方が省電力モード時よりも高いとする。例えば制御部１０１は、省電力モードにおいて、ライブ用センサ駆動において１５ｆｐｓのフレームレートでライブ表示していた場合、静止画用センサ駆動においても１５ｆｐｓのフレームレートでライブ表示する。これにより、駆動モードによってフレームレートに差が無い表示が可能で、消費電力も抑えることができる。
【００５３】
なお、図３のステップＳ３００、Ｓ３１０で使用する画像信号は、互いに別であってもよいし同一であってもよい。別の画像信号を使用する場合、ステップＳ３０１では、撮像部１０４で静止画用に露光して生成された画像信号は、記録用画像処理部１０７のみに送信されるようにし、記録用画像処理部１０７が記録用画像を生成する。ステップＳ３００では、撮像部１０４でライブ用に露光して生成された画像信号は表示用画像処理部１０５のみに送信されるようにし、表示用画像処理部１０５が表示用画像を生成する。このようにすると、静止画用の露光条件とライブ用の露光条件とを別々に設定できるようになるため、静止画用のシャッタースピード等の露光条件に左右されないライブ表示が可能となる。一方、同一の画像信号を使用する場合、撮像部１０４で静止画用に露光して生成された画像信号は、表示用画像処理部１０５と記録用画像処理部１０７とに同時に送信されるようにする。そして、表示用画像処理部１０５が表示用画像を生成すると共に、記録用画像処理部１０７が記録用画像を生成する。この場合、静止画用に生成された画像信号からライブ表示が行えるようになるため、より早いライブ復帰が可能となる。ステップＳ２０１に処理が戻った後は、撮像部１０４でライブ用に露光して生成された画像信号は表示用画像処理部１０５のみに送信され、ライブ表示される。
【００５４】
なお、上記述べた複数種類の所定条件を組み合わせて適用してもよい。従って、図２のステップＳ２０８、Ｓ２１１、図３のステップＳ３０３に適用する所定条件を互いに異ならせてもよい。
【００５５】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００５６】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００５７】
１０１  システム制御部
１０４  撮像部
１０５  表示用画像処理部
１０６  表示部
１０７  記録用画像処理部
【図１】
2018148407.tif 000003
【図２】
2018148407.tif 000004
【図３】
2018148407.tif 000005